(57)【要約】【課題】容易に、かつ、短時間で所望の形状を製造することができる装飾体を提供する。【解決手段】装飾体は、帯状の柔軟性シート(100)からなり、一方の辺(101)は直線状であり、他方の辺(102)は波線形である。シート(100)の一端には第一円形領域(110)、他端には第二円形領域(120)が形成されている。シート(100)を第二円形領域(120)の回りに渦巻き状に巻き、巻かれた状態のシート(100)を第一円形領域(110)上に乗せることにより、装飾体が完成する。【選択図】図１
0003173571.tif 000002
【実用新案登録請求の範囲】
【請求項１】
帯状のシートからなる装飾体であって、
前記シートは巻くことが可能な程度の柔軟性を有する材料からなり、
前記シートの長手方向と平行な二つの辺のうちの少なくとも一方の辺は直線状であり、
前記シートの一端には円形もしくはほぼ円形の形状の領域が形成されている装飾体。
【請求項２】
前記シートの他方の辺は波線形をなしていることを特徴とする請求項１に記載の装飾体。
【請求項３】
前記シートは前記シートの他端を中心としてその周囲に渦巻き状に巻くことが容易になるように鉛直方向に対して傾斜していることを特徴とする請求項１または２に記載の装飾体。
【請求項４】
前記シートは前記シートの他端を中心としてその周囲に渦巻き状に巻くことが容易になるように予め前記他端の周囲に渦を巻くような形状に形成されていることを特徴とする請求項１または２に記載の装飾体。
【請求項５】
前記領域は下方に凸となるように湾曲していることを特徴とする請求項１乃至４の何れか一項に記載の装飾体。
【請求項６】
前記シートは発光体を備えるものであることを特徴とする請求項１乃至５の何れか一項に記載の装飾体。
【請求項７】
前記材料はシリコンであることを特徴とする請求項１乃至６の何れか一項に記載の装飾体。
【請求項８】
巻かれた状態の前記シートを前記領域に対して係止する係止手段をさらに備えることを特徴とする請求項１乃至７の何れか一項に記載の装飾体。
【考案の詳細な説明】
【技術分野】
【０００１】
本考案は、物品の装飾用として使用される装飾体、特に、花をかたどった装飾体に関する。
【背景技術】
【０００２】
この種の装飾体として実用新案登録第３１５９４１９号公報に記載されたものがある。
【０００３】
図８は同公報に記載された装飾体を構成する帯状生地１０の平面図である。帯状生地１０は全幅（図８における上下方向の長さ）に対して全長（図８における左右方向の長さ）が長く、端部は三角形に形成されている（図８においては右端のみを示し、左端は省略されている）。
【０００４】
図８に示した帯状生地１０を用いて、以下のようにして、花の形をなした装飾体が形成される。
【０００５】
先ず、図９に示すように、帯状生地１０の長軸に沿って図９の右手方向から見て時計回り方向に帯状生地１０を捻じる。
【０００６】
次いで、図１０に示すように、帯状生地１０の軸線の右手方向から見て円形をなすように、帯状生地１０を連続的に重ね合わせながら螺旋状に畳み込む。
【０００７】
図１１は帯状生地１０の畳み込みが終了した状態における側面図であり、図１４はこの状態における帯状生地１０を軸線右側から見た正面図である。
【０００８】
さらに、図１２に示すように、帯状生地１０の畳み込みが終了した後、帯状生地１０の軸線方向から見て螺旋状に重なり合う円形の中心点を軸線に沿って圧縮し、畳み込んだ帯状生地１０の中心点に貫通孔を形成し、貫通孔にピン１１を挿入する。図１５はこの状態における帯状生地１０を軸線右側から見た正面図である。
【０００９】
次いで、ピン１１の脱落を防止するため、ピン１１の両端側にストッパー１２を設ける。
【００１０】
さらに、図１３に示すように、帯状生地１０の中心点（ピン１１が挿入されている箇所）を中心としてさらに時計回りに帯状生地１０を捻じる。図１６はこの状態における帯状生地１０を軸線右側から見た正面図である。
【００１１】
このようにして、花の形状をなした装飾体が完成する。
【考案の開示】
【考案が解決しようとする課題】
【００１２】
以上のように、上記公報に記載された装飾体の製造工程はかなり複雑であり、容易に、さらに、短時間で帯状生地１０から花の形状の装飾体を製造できるものではない。
【００１３】
本考案はこのような従来の装飾体における問題点に鑑みてなされたものであり、より容易に、かつ、より短時間で所望の形状を製造することができる装飾体を提供することを目的とする。
【課題を解決するための手段】
【００１４】
上記の目的を達成するため、本考案は、帯状のシートからなる装飾体であって、前記シートは巻くことが可能な程度の柔軟性を有する材料からなり、前記シートの長手方向と平行な二つの辺のうちの少なくとも一方の辺は直線状であり、前記シートの一端には円形もしくはほぼ円形の形状の領域が形成されている装飾体を提供する。
【００１５】
本考案に係る装飾体においては、前記シートの他方の辺は波線形をなしていることが好ましい。
【００１６】
本考案に係る装飾体においては、前記シートは前記シートの他端を中心としてその周囲に渦巻き状に巻くことが容易になるように鉛直方向に対して傾斜していることが好ましい。
【００１７】
本考案に係る装飾体においては、前記シートは前記シートの他端を中心としてその周囲に渦巻き状に巻くことが容易になるように予め前記他端の周囲に渦を巻くような形状に形成されていることが好ましい。
【００１８】
本考案に係る装飾体においては、前記領域は下方に凸となるように湾曲していることが好ましい。
【００１９】
本考案に係る装飾体においては、前記シートは発光体を備えるものであることが好ましい。
【００２０】
前記材料としては、例えば、シリコンを用いることができる。
【００２１】
本考案に係る装飾体においては、巻かれた状態の前記シートを前記領域に対して係止する係止手段をさらに備えることが好ましい。
【考案の効果】
【００２２】
本考案に係る装飾体は、シートを他端の周囲に渦巻き状に巻き、巻き付けた状態のシートを円形の領域の上に乗せる。これにより、花の形状をなした装飾体が完成する。
【００２３】
このように、本考案に係る装飾体によれば、シートの他端を中心として、シートを渦巻き状に巻くだけで、例えば、花型の装飾体を容易に製作することができる。図８乃至図１６に示した従来の装飾体とは異なり、シートを捻じり、さらに、重ね合わせながら螺旋状に畳み込むというような複雑な作業を行う必要はない。
【００２４】
また、本考案に係る装飾体は巻いた状態を解くと一枚のシートになるので、簡単に洗浄することができ、衛生的な状態を維持することが可能である。さらに、洗浄することにより、繰り返して使用することが可能である。
【００２５】
さらに、シートの他方の辺を波線形以外の他の形状にすることにより、装飾体を様々な形状にすることが可能である。
【図面の簡単な説明】
【００２６】
【図１】本考案の第一の実施形態に係る装飾体の平面図である。
【図２】本考案の第一の実施形態に係る装飾体の使用方法を示す概略図である。
【図３】本考案の第一の実施形態に係る装飾体の使用方法を示す概略図である。
【図４】本考案の第一の実施形態に係る装飾体が完成した状態を示す斜視図である。
【図５】本考案の第一の実施形態に係る装飾体における第二円形領域及びその周辺のシートの縦断面図である。
【図６】本考案の第一の実施形態に係る装飾体における第二円形領域及びその周辺のシートの平面図である。
【図７】本考案の第一の実施形態に係る装飾体における第一円形領域の縦断面図である。
【図８】従来の装飾体を構成する帯状生地の平面図である。
【図９】従来の装飾体の形成方法を示す平面図である。
【図１０】従来の装飾体の形成方法を示す平面図である。
【図１１】従来の装飾体の形成方法を示す平面図である。
【図１２】従来の装飾体の形成方法を示す平面図である。
【図１３】従来の装飾体の形成方法を示す平面図である。
【図１４】図１１の状態における帯状生地を軸線右側から見た正面図である。
【図１５】図１２の状態における帯状生地を軸線右側から見た正面図である。
【図１６】図１３の状態における帯状生地を軸線右側から見た正面図である。
【考案を実施するための最良の形態】
【００２７】
（第一の実施形態）
図１は本考案の第一の実施形態に係る装飾体の平面図である。
【００２８】
図１に示すように、本実施形態に係る装飾体は帯状のシート１００からなる。
【００２９】
シート１００はほぼ一定の幅（後述する円形領域を除く）を有しており、さらに、幅と比較して、極めて長い全長を有している。
【００３０】
シート１００はシリコン製であり、折り曲げ、折り畳み、巻き付けなどを行うことが可能な柔軟性を有している。
【００３１】
シート１００の長手方向と平行な二つの辺のうちの一方の辺１０１は直線状をなしており、他方の辺１０２は波線形をなしている。
【００３２】
さらに、シート１００の長手方向における両端のうちの一端には、ほぼ円形の第一円形領域１１０が形成されている。
【００３３】
また、他端にもほぼ円形の第二円形領域１２０が形成されている。第二円形領域１２０の大きさは第一円形領域１１０よりも小さい。
【００３４】
図２及び図３は本実施形態に係る装飾体の使用方法を示す概略図である。以下、図２及び図３を参照して、本実施形態に係る装飾体の使用方法を説明する。
【００３５】
先ず、図２に示すように、第二円形領域１２０を中心として、第二円形領域１２０の周囲にシート１００を巻いていく。
【００３６】
最後に、図３に示すように、巻き付けた状態のシート１００を第一円形領域１１０の上に乗せる。
【００３７】
図４はこのようにして形成された装飾体を示す斜視図である。
【００３８】
図４に示すように、図２及び図３に示した工程を実施することにより、シート１００を花の形状をなした装飾体に変形させることができる。
【００３９】
花の形状をなした装飾体は物品、料理その他種々のものに対する装飾用品として使用することが可能である。
【００４０】
以上のように、本実施形態に係る装飾体によれば、第二円形領域１２０が形成されている他端を中心として、シート１００を巻くだけで、図４に示すような花型の装飾体を容易に製作することができる。図８乃至図１６に示した従来の装飾体とは異なり、シートを捻じり、さらに、重ね合わせながら螺旋状に畳み込むというような複雑な作業を行う必要はない。
【００４１】
また、本実施形態に係る装飾体は、巻いた状態から解けば一枚のシート１００になるので、簡単に洗浄することができ、衛生的な状態を維持することが可能である。さらに、洗浄することにより、繰り返して使用することが可能である。
【００４２】
本実施形態に係る装飾体は上記の構成に限定されるものではなく、種々の改変が可能である。
【００４３】
本実施形態に係る装飾体においては、シート１００はシリコン製であるが、シート１００の材質はシリコンには限定されない。シート１００を第二円形領域１２０の周囲に巻くことができる程度の柔軟性を有するものであれば、いかなる材料をも選択することが可能である。
【００４４】
また、本実施形態に係る装飾体においては、シート１００の他方の辺１０２は波線形をなしているが、辺１０２の形状は波線形には限定されない。辺１０２を辺１０１と同様に直線状とすることも可能である。
【００４５】
あるいは、波線形以外の他の形状にすることにより、装飾体を様々な形状にすることが可能である。例えば、辺１０２を三角形が連続する形状、半円が連続する形状などにすることができる。また、同一の形状が連続する形状のみならず、相互に異なる形状が連続する形状とすることも可能である。
【００４６】
また、例えば、辺１０２を三角形が連続する形状にした場合、隣接する三角形の間の間隔は一定にしてもよく、あるいは、ランダムにすることも可能である。
【００４７】
本実施形態に係る装飾体は、前述のように、シート１００の他端に形成されている第二円形領域１２０の周囲にシート１００を巻くことにより作成される。このため、シート１００の他端の第二円形領域１２０を中心としてシート１００をその周囲に巻くことが容易になるように、予めシート１００に所定の加工を施しておくことが好ましい。
【００４８】
図５は第二円形領域１２０及びその周辺のシート１００の縦断面図である。
【００４９】
図５に示すように、シート１００（第二円形領域１２０以外の部分）予め鉛直方向に対して傾斜するように形成する。シート１００をこのように形成することにより、シート１００を第二円形領域１２０の周囲に巻くことを容易に行うことが可能になる。
【００５０】
図６は第二円形領域１２０及びその周辺のシート１００の平面図である。
【００５１】
図６に示すように、シート１００を第二円形領域１２０の周囲に湾曲して、すなわち、第二円形領域１２０を中心として渦を巻くような形状に形成することが好ましい。具体的には、リンゴの皮を渦巻き状に剥いたときの皮のような形状に近いことが好ましい。
【００５２】
シート１００をこのように形成することによっても、シート１００を第二円形領域１２０の周囲に巻くことを容易に行うことが可能になる。
【００５３】
図７は第一円形領域１１０の縦断面図である。
【００５４】
本実施形態に係る装飾体においては、第一円形領域１１０は平面状に形成されているが、図７に示すように、第一円形領域１１０を下方に凸となるように湾曲して形成することも可能である。第一円形領域１１０を下方に凸になるように形成することにより、巻いた状態のシート１００を第一円形領域１１０上に乗せることが容易になり、かつ、安定して乗せることが可能になる。
【００５５】
（第二の実施形態）
前述のように、本実施形態に係る装飾体は、巻かれた状態のシート１００を第一円形領域１１０上に乗せることにより完成する。
【００５６】
本考案の第二の実施形態に係る装飾体は、巻かれた状態のシート１００を第一円形領域１１０に対して係止する係止手段を備える。このような係止手段を設けることにより、巻かれた状態のシート１００を第一円形領域１１０上に維持することが可能になる。
【００５７】
係止手段としては、例えば、面ファスナーがある。巻かれた状態のシート１００及び第一円形領域１１０の双方に面ファスナーを取り付けておき、それらの面ファスナーを相互に付着させることにより、巻かれた状態のシート１００を第一円形領域１１０上に維持することができる。
【００５８】
あるいは、係止手段としては、他に、ホック、ピンその他の針状のものなどを用いることができる。
【００５９】
（第三の実施形態）
本考案の第三の実施形態に係る装飾体においては、シート１００は発光体を備えるものとして構成されている。
【００６０】
例えば、シート１００には螢光塗料からなる層が表面に形成されている。あるいは、シート１００に螢光塗料が含有されている。これにより、周囲が暗い場合には、シート１００は自発光し、シート１００の装飾性をより高めることができる。
【００６１】
また、シート１００に光ファイバー繊維を埋め込み、あるいは、シート１００の表面に光ファイバー繊維を付着させることも可能である。これにより、光ファイバー繊維に光を通過させることにより、装飾体を発光させることができ、シート１００の装飾性をより高めることができる。
【符号の説明】
【００６２】
１００  シート
１０１  直線状の辺
１０２  波線形の辺
１１０  第一円形領域
１２０  第二円形領域
【図１】
0003173571.tif 000003
【図２】
0003173571.tif 000004
【図３】
0003173571.tif 000005
【図４】
0003173571.tif 000006
【図５】
0003173571.tif 000007
【図６】
0003173571.tif 000008
【図７】
0003173571.tif 000009
【図８】
0003173571.tif 000010
【図９】
0003173571.tif 000011
【図１０】
0003173571.tif 000012
【図１１】
0003173571.tif 000013
【図１２】
0003173571.tif 000014
【図１３】
0003173571.tif 000015
【図１４】
0003173571.tif 000016
【図１５】
0003173571.tif 000017
【図１６】
0003173571.tif 000018